(57)【要約】【課題】人体のメラトニン分泌を制御し、且つ電力効率の低下を抑制できる照明装置及び照明装置の制御方法を提供する。【解決手段】青色光を出射する第１の発光ダイオード１１、及び第１の発光ダイオード１１の出射光に励起されて発光する青色励起蛍光体Ｍ１を含む第１の蛍光体層１２を有し、白色光を出力する第１の光源１０と、青色光を出射する第２の発光ダイオード２１、第２の発光ダイオード２１の出射光に励起されて発光する青色励起蛍光体Ｍ２を含む第２の蛍光体層２２、及び第２の発光ダイオード２１から出射されて第２の蛍光体層２２を透過した青色光の一部を遮断するフィルター層２３を有し、白色光を出力する第２の光源２０とを備える。【選択図】図１
2011258649.tif 000002
【特許請求の範囲】
【請求項１】
青色光を出射する第１の発光ダイオード、及び該第１の発光ダイオードの出射光に励起されて発光する青色励起蛍光体を含む第１の蛍光体層を有し、白色光を出力する第１の光源と、
青色光を出射する第２の発光ダイオード、該第２の発光ダイオードの出射光に励起されて発光する青色励起蛍光体を含む第２の蛍光体層、及び前記第２の発光ダイオードから出射されて前記第２の蛍光体層を透過した青色光の一部を遮断するフィルター層を有し、白色光を出力する第２の光源と
を備えることを特徴とする照明装置。
【請求項２】
前記第１の光源から出力される出力光の輝度、及び前記第２の光源から出力される出力光の輝度を制御する制御装置を更に備えることを特徴とする請求項１に記載の照明装置。
【請求項３】
前記制御装置が、前記第１及び第２の光源の出力光のそれぞれの輝度を、一方の輝度を高くするときには他方の輝度を低くするように変化させることを特徴とする請求項２に記載の照明装置。
【請求項４】
前記第２の光源の出力光が、前記第１の光源の出力光よりも青色成分が少なく且つ緑色成分が多い発光スペクトル特性を有することを特徴とする請求項１乃至３のいずれか１項に記載の照明装置。
【請求項５】
前記第２の蛍光体層が、前記第１の蛍光体層よりも緑色発光の蛍光体を多く含むことを特徴とする請求項４に記載の照明装置。
【請求項６】
前記第１及び第２の光源の出力光が入射し、入射した前記出力光が拡散しながら通過する光拡散板を更に備えることを特徴とする請求項１乃至５のいずれか１項に記載の照明装置。
【請求項７】
前記光拡散板の一方の主面から前記光拡散板にそれぞれ入射した前記第１及び第２の光源の出力光が、前記光拡散板の他方の主面から出力されることを特徴とする請求項６に記載の照明装置。
【請求項８】
前記光拡散板の側面から前記光拡散板にそれぞれ入射した前記第１及び第２の光源の出力光が、前記光拡散板の主面から出力されることを特徴とする請求項６に記載の照明装置。
【請求項９】
前記第１及び第２の光源の出力光を反射する、前記光拡散板の一方の主面に配置された反射板を更に備え、前記光拡散板の他方の主面から前記第１及び第２の光源の出力光が出力されることを特徴とする請求項８に記載の照明装置。
【請求項１０】
前記第１及び第２の光源の出力面にそれぞれ配置されたレンズを更に備え、該レンズによって前記第１及び第２の光源の出力光が前記光拡散板の側面に集光されることを特徴とする請求項８又は９に記載の照明装置。
【請求項１１】
青色光を出射する第１の発光ダイオード、及び該第１の発光ダイオードの出射光に励起されて発光する青色励起蛍光体を含む第１の蛍光体層を有し、白色光を出力する第１の光源と、青色光を出射する第２の発光ダイオード、該第２の発光ダイオードの出射光に励起されて発光する青色励起蛍光体を含む第２の蛍光体層、及び前記第２の発光ダイオードから出射されて前記第２の蛍光体層を透過した青色光の一部を遮断するフィルター層を有し、白色光を出力する第２の光源とを備える照明装置の制御方法であって、
前記第１の光源から出力される第１の出力光の輝度、及び前記第２の光源から出力される第２の出力光の輝度を、一方の輝度を高くするときには他方の輝度を低くするように制御することを特徴とする照明装置の制御方法。
【請求項１２】
前記第１及び第２の出力光のそれぞれの輝度を周期的に変化させることを特徴とする請求項１１に記載の照明装置の制御方法。
【発明の詳細な説明】
【技術分野】
【０００１】
本発明は、人間の生体リズムの影響を考慮した、発光ダイオードを光源に用いた照明装置及び照明装置の制御方法に関する。
【背景技術】
【０００２】
発光ダイオード（ＬＥＤ）を光源に用いた照明装置（以下において「ＬＥＤ照明装置」という。）が実用化されている。白色光を出力するＬＥＤ照明装置を実現するために、赤色光、緑色光、青色光をそれぞれ出射する複数のＬＥＤを使用したり、青色ＬＥＤと各種の青色励起蛍光体（黄色発光体、緑色発光体、赤色発光体）とを組み合わせた擬似白色ＬＥＤを使用したりしている。
【０００３】
また、人体の生体リズムへの影響を考慮したＬＥＤ照明装置が提案されている。例えば、赤色ＬＥＤ、緑色ＬＥＤ及び波長の異なる２種類の青色ＬＥＤを有するＬＥＤ照明装置を用いて、２種類の青色ＬＥＤを制御することによって人体のメラトニン分泌を制御する方法が提案されている（例えば特許文献１参照。）。
【先行技術文献】
【特許文献】
【０００４】
【特許文献１】特開２００７−１７３５５７号公報
【発明の概要】
【発明が解決しようとする課題】
【０００５】
しかしながら、赤色ＬＥＤ、緑色ＬＥＤ及び青色ＬＥＤを用いたＲＧＢ構造の白色ＬＥＤでは、色度、輝度、色の均一性、制御性が困難である。そのため、照明システムとして歩留まりが低く、価格が高い。更に、各色のＬＥＤを多数駆動するため、電力効率が低いというという問題があった。
【０００６】
上記問題点に鑑み、本発明は、人体のメラトニン分泌を制御し、且つ電力効率の低下を抑制できる照明装置及び照明装置の制御方法を提供することを目的とする。
【課題を解決するための手段】
【０００７】
本発明の一態様によれば、（イ）青色光を出射する第１の発光ダイオード、及び第１の発光ダイオードの出射光に励起されて発光する青色励起蛍光体を含む第１の蛍光体層を有し、白色光を出力する第１の光源と、（ロ）青色光を出射する第２の発光ダイオード、第２の発光ダイオードの出射光に励起されて発光する青色励起蛍光体を含む第２の蛍光体層、及び第２の発光ダイオードから出射されて第２の蛍光体層を透過した青色光の一部を遮断するフィルター層を有し、白色光を出力する第２の光源とを備える照明装置が提供される。
【０００８】
本発明の他の態様によれば、青色光を出射する第１の発光ダイオード、及び第１の発光ダイオードの出射光に励起されて発光する青色励起蛍光体を含む第１の蛍光体層を有し、白色光を出力する第１の光源と、青色光を出射する第２の発光ダイオード、第２の発光ダイオードの出射光に励起されて発光する青色励起蛍光体を含む第２の蛍光体層、及び第２の発光ダイオードから出射されて第２の蛍光体層を透過した青色光の一部を遮断するフィルター層を有し、白色光を出力する第２の光源とを備える照明装置の制御方法であって、第１の光源から出力される第１の出力光の輝度、及び第２の光源から出力される第２の出力光の輝度を、一方の輝度を高くするときには他方の輝度を低くするように制御する照明装置の制御方法が提供される。
【発明の効果】
【０００９】
本発明によれば、人体のメラトニン分泌を制御し、且つ電力効率の低下を抑制できる照明装置及び照明装置の制御方法を提供できる。
【図面の簡単な説明】
【００１０】
【図１】本発明の第１の実施形態に係る照明装置の構成を示す模式図である。
【図２】本発明の第１の実施形態に係る照明装置に使用可能な蛍光体の例を示す表である。
【図３】白熱電球、蛍光灯及び擬似白色ＬＥＤの発光スペクトル特性を示すグラフである。
【図４】本発明の第１の実施形態に係る照明装置の出力光の輝度を時間的に変化させる例を示すグラフである。
【図５】本発明の第１の実施形態に係る照明装置における複数の第１の光源と複数の第２の光源の配置例を示す上面図である。
【図６】本発明の第１の実施形態に係る照明装置における複数の第１の光源と複数の第２の光源の他の配置例を示す上面図である。
【図７】本発明の第２の実施形態に係る照明装置の構成を示す模式図である。
【図８】本発明の第２の実施形態の変形例に係る照明装置の構成を示す模式図であり、図８（ａ）は上面図、図８（ｂ）は断面図である。
【図９】本発明の第２の実施形態の他の変形例に係る照明装置の構成を示す模式図であり、図９（ａ）は上面図、図９（ｂ）は断面図である。
【発明を実施するための形態】
【００１１】
次に、図面を参照して、本発明の第１及び第２の実施形態を説明する。以下の図面の記載において、同一又は類似の部分には同一又は類似の符号を付している。ただし、図面は模式的なものであり、具体的な寸法は以下の説明を参酌して判断すべきものである。又、図面相互間においても互いの寸法の関係や比率が異なる部分が含まれていることはもちろんである。
【００１２】
又、以下に示す第１及び第２の実施形態は、この発明の技術的思想を具体化するための装置や方法を例示するものであって、この発明の技術的思想は、構成部品の形状、構造、配置等を下記のものに特定するものでない。この発明の実施形態は、特許請求の範囲において、種々の変更を加えることができる。
【００１３】
（第１の実施形態）
本発明の第１の実施形態に係る照明装置１は、図１に示すように、青色光を出射する第１の発光ダイオード１１、及び第１の発光ダイオード１１の出射光に励起されて発光する青色励起蛍光体Ｍ１を含む第１の蛍光体層１２を有し、白色光を出力する第１の光源１０と、青色光を出射する第２の発光ダイオード２１、第２の発光ダイオード２１の出射光に励起されて発光する青色励起蛍光体Ｍ２を含む第２の蛍光体層２２、及び第２の発光ダイオード２１から出射されて第２の蛍光体層２２を透過した青色光の一部を遮断するフィルター層２３を有し、白色光を出力する第２の光源２０とを備える。第１の光源１０及び第２の光源２０は、青色ＬＥＤと各種の青色励起蛍光体とを組み合わせた擬似白色ＬＥＤである。
【００１４】
第１の光源１０及び第２の光源２０は、基板３０上に配置されている。なお、第１の発光ダイオード１１及び第２の発光ダイオード２１の底面が負電極であり、上面が正電極であるとする。第１の発光ダイオード１１及び第２の発光ダイオード２１の上面から、青色光が出射される。
【００１５】
第１の発光ダイオード１１の負電極は負電極１０１に接触している。また、第１の発光ダイオード１１の正電極は、例えばボンディングワイヤによって、正電極１０２に接続される。負電極１０１は基板３０上に配置された配線３１１に接続され、正電極１０２は基板３０上に配置された配線３１２に接続されている。配線３１１、３１２を介して第１の発光ダイオード１１の正電極と負電極間に電圧が印加されると、第１の発光ダイオード１１に駆動電流が流れる。これにより、第１の発光ダイオード１１から青色光が出射される。
【００１６】
第２の発光ダイオード２１の構造は、第１の発光ダイオード１１と同様である。第２の発光ダイオード２１の負電極は負電極２０１に接触している。また、第２の発光ダイオード２１の正電極は、例えばボンディングワイヤによって、正電極２０２に接続される。負電極２０１は基板３０上に配置された配線３２１に接続され、正電極２０２は基板３０上に配置された配線３２２に接続されている。配線３２１、３２２を介して第２の発光ダイオード２１の正電極と負電極間に電圧が印加されると、第２の発光ダイオード２１に駆動電流が流れ、第２の発光ダイオード２１から青色光が出射される。
【００１７】
図１に示したように、第１及び第２の発光ダイオード１１、２１は、第１の蛍光体層１２及び第２の蛍光体層２２がそれぞれ充填された、上部よりも底部が狭い凹部を有するパッケージ１５、２５の凹部底面に配置されている。これにより、第１及び第２の発光ダイオード１１、２１から出射された青色光の指向性が向上する。
【００１８】
第１の発光ダイオード１１から出射された青色光は、第１の蛍光体層１２を通過した後、第１の光源１０の出力面１００から出力される。第１の蛍光体層１２には、青色励起蛍光体（以下において、単に「蛍光体」という。）Ｍ１を含有する樹脂などが採用可能である。蛍光体Ｍ１は、青色光により励起されて特定の色の光をそれぞれ放射する各種の蛍光体であり、図２にその例を示す。蛍光体Ｍ１は、第１の発光ダイオード１１から出射された青色光の一部を黄色光ＬY1、赤色光ＬR1に変換する。
【００１９】
一般的に、青色光を出射する発光ダイオードと各種の青色励起蛍光体（黄色発光体、緑色発光体、赤色発光体）とを組み合わせた擬似白色ＬＥＤにおいて、青色光が白色光に変換される効率は約３０％であり、約７０％の青色光は変換されずに放射される。第１の発光ダイオード１１から出射され、第１の蛍光体層１２内で変換されなかった青色光、即ち、第１の蛍光体層１２に含まれる蛍光体Ｍ１に寄与しない青色光は、そのまま第１の光源１０の出力面１００から青色光ＬB1として出力される。したがって、第１の光源１０から出力される第１の出力光Ｌ１は、青色光ＬB1、緑色光ＬG1、黄色光ＬY1、赤色光ＬR1を成分として含む。
【００２０】
一方、第２の発光ダイオード２１から出射された青色光は、第２の蛍光体層２２及びフィルター層２３を通過した後、第２の光源２０の出力面２００から出力される。第２の蛍光体層２２は、青色励起蛍光体（以下において、単に「蛍光体」という。）Ｍ２を含有する樹脂などである。蛍光体Ｍ２に採用可能な蛍光体は、蛍光体Ｍ１に採用可能な蛍光体と同様であり、図２に例示される。蛍光体Ｍ２は、第２の発光ダイオード２１から出射された青色光の一部を緑色光ＬG2、黄色光ＬY2、赤色光ＬR2に変換し、変換された光は出力面２００から出力される。蛍光体Ｍ２によって変換されなかった第２の発光ダイオード２１の出射光の一部はフィルター層２３によって遮断されるが、遮断されなかった残りの出射光は青色光ＬB2として出力面２００から出力される。したがって、第２の光源２０から出力される第２の出力光Ｌ２は、青色光ＬB2、緑色光ＬG2、黄色光ＬY1、赤色光ＬR1を成分として含む。
【００２１】
上記のように、フィルター層２３は、蛍光体Ｍ２によって変換されずに第２の蛍光体層２２を通過した第２の発光ダイオード２１の出射光、即ち、第２の蛍光体層２２に含まれる蛍光体Ｍ２に寄与しない青色光のうちの一部を、吸収又は反射する。フィルター層２３には、青色光を吸収する樹脂や、青色光を吸収する染料を混ぜた樹脂などを採用可能である。或いは、青色光のみを反射する材料をフィルター層２３に使用してもよい。
【００２２】
なお、図１では、第２の光源２０のフィルター層２３を第２の蛍光体層２２の上方に配置する例を示したが、フィルター層２３を第２の蛍光体層２２の内部に配置してもよい。その場合、フィルター層２３によって第２の蛍光体層２２による青色光の変換が阻害されないように、フィルター層２３は少なくとも蛍光体Ｍ２よりも上方に配置される。
【００２３】
光の波長と人体の生体リズムの間には、以下のことが公知の事実として知られている。即ち、
（１）波長４６０ｎｍ近傍の光を浴びると、メラトニン分泌が抑制される；
（２）人が覚醒するとき（目を覚ますとき）は、メラトニン分泌が抑制される；
（３）夜間就寝の２時間くらい前から睡眠前半に、大量のメラトニンが分泌され、体温の低下と睡眠導入が促進される；
（４）就寝前の光照射は、生体リズムを崩す。
【００２４】
図３に示したように、白熱電球の発光スペクトル特性Ｓａや蛍光灯の発光スペクトル特性Ｓｂと比較して、擬似白色ＬＥＤの発光スペクトル特性Ｓｃは、図３中に丸印で示したように波長４６０ｎｍ近傍で発光強度のピークを有する。これは、既に述べたように、擬似白色ＬＥＤにおいて青色光が白色光に変換される効率は約３０％であり、約７０％の青色光が蛍光体に寄与しないためである。
【００２５】
このように、擬似白色ＬＥＤの多くは波長４６０ｎｍ近傍に発光強度のピークを持つため、夜間の照明には適さない。波長４６０ｎｍ近傍で人間の視感度は低いため、知らず知らずのうちに生体リズムを崩すことになる。図３から、生体リズムを崩す弊害は、擬似白色ＬＥＤの場合に大きく、白熱電球と蛍光灯の場合は同程度である。つまり、省エネルギーや環境保護の目的でＬＥＤ照明を導入しても、生体リズムを崩してしまうことがある。
【００２６】
既に述べたように、第１の蛍光体層１２に含まれる蛍光体Ｍ１に寄与しない青色光は、第１の光源１０の出力面１００から出力される。つまり、第１の出力光Ｌ１は波長４６０ｎｍ近傍に発光強度のピークを持つ。したがって、第１の光源１０は、昼間の照明には適するが、夜間の照明には適さない。
【００２７】
これに対し、第２の光源２０においては、フィルター層２３によって、第２の蛍光体層２２を透過した第２の発光ダイオード２１の出射光、即ち、第２の蛍光体層２２に含まれる蛍光体Ｍ２に寄与しない青色光の一部が遮断される。例えば、第２の発光ダイオード２１から出射されて第２の蛍光体層２２を通過した光が図３に示す発光スペクトル特性Ｓｃを有する場合、第２の蛍光体層２２を透過した青色光のうちの５０％程度がフィルター層２３によって吸収又は反射される。これにより、波長４６０ｎｍ近傍の発光強度のピークがなくなり、第２の出力光Ｌ２の発光スペクトル特性はフラットになる。フィルター層２３によってどの程度の青色光を遮断するかは、第２の蛍光体層２２を透過する青色光の強度などに応じて設定される。
【００２８】
したがって、第２の光源２０の出力面２００から出力される第２の出力光Ｌ２は、第１の光源１０の出力面１００から出力される第１の出力光Ｌ１と比較して、青色光が削減された光である。このため、第１の出力光Ｌ１と第２の出力光Ｌ２とでは、発光スペクトル特性は異なる。
【００２９】
ただし、第１の出力光Ｌ１と第２の出力光Ｌ２の色温度（色度）は同等である。更に、第１の出力光Ｌ１と第２の出力光Ｌ２の平均演色指数は、Ｒａ＝８０以上にする。例えば、第１の蛍光体層１２よりも第２の蛍光体層２２に緑色発光の蛍光体を多く含ませ、更に、第２の蛍光体層２２に含まれる複数の蛍光体を組み合わせることにより、第１の出力光Ｌ１と第２の出力光Ｌ２とで、色温度を同等にする。第２の蛍光体層２２に緑色発光の蛍光体を多く含ませることにより、第２の出力光Ｌ２の演色指数を第１の出力光Ｌ１と同等にし、色温度の低下を抑制する。これにより、青色成分を単純に減らすことによって第２の出力光Ｌ２が赤っぽく見える現象を避けることができる。つまり、青色光ＬB1が多い第１の出力光Ｌ１に対して、第２の出力光Ｌ２では青色光ＬB2を減らす一方で緑色光ＬG2を含ませる。この場合、第２の出力光Ｌ２の発光スペクトル特性は、第１の出力光Ｌ１の発光スペクトル特性よりも、青色成分が少なく且つ緑色成分が多い特性である。
【００３０】
第１の光源１０と第２の光源２０を備える第１の実施形態に係る照明装置１によれば、以下のように、人体のメラトニンの分泌を積極的に制御して、覚醒と心地よい催眠導入を同時に実現できる。
【００３１】
図１において、制御装置４０は、第１の光源１０から出力される第１の出力光Ｌ１の輝度、及び第２の光源２０から出力される第２の出力光Ｌ２の輝度を制御する。例えば、制御装置４０は、負電極１０１と正電極１０２間に印加する電圧、及び負電極２０１と正電極２０２間に印加する電圧をそれぞれ制御して、第１の発光ダイオード１１と第２の発光ダイオード２１の駆動電流を個別に調整する。これにより、制御装置４０によって、第１の出力光Ｌ１の輝度と第２の出力光Ｌ２の輝度が独立して制御される。
【００３２】
朝や日中などでは、制御装置４０によって、第１の光源１０から出力される第１の出力光Ｌ１の輝度を高くし、第２の光源２０から出力される第２の出力光Ｌ２の輝度を低くする。このように「第１の出力光Ｌ１の輝度＞第２の出力光Ｌ２の輝度」とすることによって、照明装置１全体の出力光に含まれる青色光を多くする。例えば、照明装置１全体の輝度を１００としたときに、第１の出力光Ｌ１の輝度を６０〜１００、第２の出力光Ｌ２の輝度を４０〜０にする。その結果、メラトニンの分泌が積極的に抑制され、人の覚醒が促される。
【００３３】
一方、夜間や睡眠前、睡眠時には、制御装置４０によって、第１の出力光Ｌ１の輝度を低くし、第２の出力光Ｌ２の輝度を高くする。このように「第１の出力光Ｌ１の輝度＜第２の出力光Ｌ２の輝度」とすることによって、照明装置１全体の出力光に含まれる青色光を少なくする。例えば、照明装置１全体の輝度を１００としたときに、第１の出力光Ｌ１の輝度を０〜４０、第２の出力光Ｌ２の輝度を１００〜６０にする。その結果、メラトニンの分泌は阻害されず、心地よい睡眠導入を実現できる。
【００３４】
図１に示した照明装置１では、制御装置４０を用いて、第１の出力光Ｌ１と第２の出力光Ｌ２の輝度を自動又は手動で変化させることができる。第１の出力光Ｌ１と第２の出力光Ｌ２の輝度を自動で変化させる場合には、輝度を連続的に変化させることにより、「覚醒（朝）→通常状態（日中）→夜間→睡眠前→睡眠」の変化を、穏やかに、或いは急激に行い、覚醒や睡眠導入を積極的に制御できる。
【００３５】
図４に、人体の生体リズムを考慮して、第１の出力光Ｌ１と第２の出力光Ｌ２の輝度を連続的に変化させる例を示す。図４に示すように、朝の覚醒、日中の通常状態、夜間の睡眠前、睡眠直前、睡眠状態のそれぞれにおいて第１の出力光Ｌ１と第２の出力光Ｌ２の輝度を制御することによって、メラトニンの分泌を生活に合わせて制御できる。即ち、覚醒時から日中では、第１の出力光Ｌ１の輝度を高くし、第２の出力光Ｌ２の輝度を低くすることにより、メラトニンの分泌が抑制される。そして、夜間から睡眠直前では、第１の出力光Ｌ１の輝度を低くし、第２の出力光Ｌ２の輝度を高くすることにより、メラトニンが分泌される。睡眠状態では、第１の出力光Ｌ１と第２の出力光Ｌ２の輝度はゼロに調整される。このように照明装置１の輝度を制御することによって、良好な覚醒と睡眠導入の両方を実現できる。
【００３６】
図４に例示したように、第１の出力光Ｌ１及び第２の出力光Ｌ２のそれぞれの輝度を、一方の輝度を高くするときには他方の輝度を低くするように、周期的に変化させる。この周期は、例えば人間のサーカディアンリズムに即して予め設定されたプログラムを用いて、制御装置４０により実現できる。これにより、メラトニンの分泌とサーカディアンリズムの両方を考慮した照明装置及び照明装置の制御を実現できる。
【００３７】
既に説明したように、第１の出力光Ｌ１と第２の出力光Ｌ２とでは、発光スペクトル特性は互いに異なる。しかし、第１の蛍光体層１２と第２の蛍光体層２２に含まれる蛍光体の材料及び配合を調整することによって、色温度は同等である。このため、第１の出力光Ｌ１と第２の出力光Ｌ２の輝度を変化させた時に、色温度変化を人間は認識できず、色目の変化による不快感が低減される。
【００３８】
また、第１の光源１０と第２の光源２０の平均演色指数Ｒａを８０以上にすることにより、物体の色認識特性に優れた照明装置１を実現できる。
【００３９】
図５〜図６に、複数の第１の光源１０と複数の第２の光源２０を基板３０上に配置した例を示す。図５〜図６は、３行２列のマトリクス状に第１の光源１０及び第２の光源２０を配置した例であり、光の出力方向からみた上面図である。図５は、第１の光源１０と第２の光源２０を行方向と列方向に交互に配置した例である。図６は、１列目に第１の光源１０を配置し、２列目に第２の光源２０を配置した例である。第１の光源１０及び第２の光源２０を複数配置することによって、広範囲を照明する照明装置を実現できる。
【００４０】
以上に説明したように、本発明の第１の実施形態に係る照明装置１は、青色光を出射する第１の発光ダイオード１１と青色励起蛍光体を含む第１の蛍光体層１２とを組み合わせた第１の光源１０と、青色光を出射する第２の発光ダイオード２１と青色励起蛍光体を含む第２の蛍光体層２２とを組み合わせ、且つ青色光の通過を妨げるフィルター層２３を有する第２の光源２０とを備える。このため、第１の光源１０から出力される第１の出力光Ｌ１に比べて、第２の光源２０から出力される第２の出力光Ｌ２では青色光が削減されている。したがって、照明装置１によれば、第１の出力光Ｌ１の輝度と第２の出力光Ｌ２の輝度を別々に制御することによって、人体のメラトニンの分泌を積極的に制御できる。更に、第１の光源１０及び第２の光源２０は擬似白色ＬＥＤであるため、ＲＧＢ構造の白色ＬＥＤを光源に使用する照明装置に比べて、電力効率の低下を抑制できる。
【００４１】
（第２の実施形態）
本発明の第２の実施形態に係る照明装置１を図７に示す。図７に示した照明装置１は、第１の出力光Ｌ１、及び第２の出力光Ｌ２の進行方向に配置された光拡散板５０を備える。その他の構成については、図１に示す第１の実施形態と同様である。
【００４２】
第１の主面５１から光拡散板５０にそれぞれ入射した第１の出力光Ｌ１及び第２の出力光Ｌ２は、拡散しながら光拡散板５０を通過する。そして、光拡散板５０の第２の主面５２から、輝度が均一化された出力光Ｌｄが出力される。このため、第１の出力光Ｌ１と第２の出力光Ｌ２の輝度を変化させた時の、照明器具の明暗位置及び明暗位置の変化（空間的ちらつき）による不快感が低減される。他は、第１の実施形態と実質的に同様であり、重複した記載を省略する。
【００４３】
＜変形例＞
第２の実施形態に係る照明装置１の変形例を、図８（ａ）、図８（ｂ）に示す。図８（ａ）は照明装置１からの出力光Ｌｄの出力方向からみた上面図であり、図８（ｂ）は図８（ａ）のVIII−VIII方向に沿った断面図である。図７では、光拡散板５０を第１の光源１０及び第２の光源２０の上方に配置した。これに対し、図８（ａ）、図８（ｂ）に示した照明装置１では、光拡散板５０の側面に第１の光源１０及び第２の光源２０を配置することが図７と異なる。
【００４４】
図８（ａ）に示したように、第１の基板３１上に第１の光源１０と第２の光源２０が交互に配置され、同様に、第２の基板３２上に第１の光源１０と第２の光源２０が交互に配置されている。図８（ａ）、図８（ｂ）に示すように、光拡散板５０を挟んで対向するように、第１の光源１０と第２の光源２０とを配置することが好ましい。光拡散板５０の側面から光拡散板５０内にそれぞれ入射された第１の出力光Ｌ１及び第２の出力光Ｌ２は、光拡散板５０内で拡散された後、光拡散板５０の第１の主面５１から出力される。
【００４５】
この場合、図８（ｂ）に示すように、第１の出力光Ｌ１及び第２の出力光Ｌ２を反射する光反射板５５を、光拡散板５０の第２の主面５２に配置してもよい。これにより、第１の主面５１からの出力光Ｌｄの輝度を高めることができる。なお、第２の主面５２に光反射板５５を配置せずに、光拡散板５０の第１の主面５１と第２の主面５２それぞれから出力光Ｌｄを出力してもよい。
【００４６】
また、第１の光源１０の出力面１００にレンズ６１を、第２の光源２０の出力面２００にレンズ６２を、それぞれ配置してもよい。レンズ６１、６２によって、第１の出力光Ｌ１及び第２の出力光Ｌ２が光拡散板５０の側面に集光される。
【００４７】
なお、図９（ａ）、図９（ｂ）に示すように、光拡散板５０の一方の側面にのみ第１の光源１０と第２の光源２０を配置してもよい。図９（ａ）は照明装置１からの出力光Ｌｄの出力方向からみた上面図であり、図９（ｂ）は図９（ａ）のIX−IX方向に沿った断面図である。第１の出力光Ｌ１及び第２の出力光Ｌ２は光拡散板５０内で減衰し、光拡散板５０の他方の側面に到達しない場合が多い。しかし、第１の出力光Ｌ１と第２の出力光Ｌ２が入射する側面と対向する光拡散板５０の側面に、第１の出力光Ｌ１と第２の出力光Ｌ２を反射する光反射板５６を配置してもよい。
【００４８】
本発明の第２の実施形態に係る照明装置１によれば、人体のメラトニンの分泌を積極的に制御でき、且つ、照明器具の明暗位置、及び明暗位置の変化による不快感が低減された照明装置を実現できる。
【００４９】
（その他の実施形態）
上記のように、本発明は第１及び第２の実施形態によって記載したが、この開示の一部をなす論述及び図面はこの発明を限定するものであると理解すべきではない。この開示から当業者には様々な代替実施形態、実施例及び運用技術が明らかとなろう。
【００５０】
既に述べた第１及び第２の実施形態の説明においては、第１の光源１０から出力される第１の出力光Ｌ１の輝度、及び第２の光源２０から出力される第２の出力光Ｌ２の輝度を、制御装置４０によって制御する場合を説明した。しかし、制御装置４０を用いずに手動によって第１の出力光Ｌ１の輝度、及び第２の出力光Ｌ２の輝度を制御してもよい。
【００５１】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００５２】
１…照明装置
１０…第１の光源
１１…第１の発光ダイオード
１２…第１の蛍光体層
１５、２５…パッケージ
２０…第２の光源
２１…第２の発光ダイオード
２２…第２の蛍光体層
２３…フィルター層
３０…基板
３１…第１の基板
３２…第２の基板
４０…制御装置
５０…光拡散板
５１…第１の主面
５２…第２の主面
５５、５６…光反射板
６１、６２…レンズ
１００、２００…出力面
１０１、２０１…負電極
１０２、２０２…正電極
Ｌ１…第１の出力光
Ｌ２…第２の出力光
Ｌｄ…出力光
Ｍ１…青色励起蛍光体
Ｍ２…青色励起蛍光体
【図１】
2011258649.tif 000003
【図２】
2011258649.tif 000004
【図３】
2011258649.tif 000005
【図４】
2011258649.tif 000006
【図５】
2011258649.tif 000007
【図６】
2011258649.tif 000008
【図７】
2011258649.tif 000009
【図８】
2011258649.tif 000010
【図９】
2011258649.tif 000011